(57)【要約】【課題】発射球の前記球保持手段からの落下を促進して、発射装置に対する球供給タイミングの遅れを防止すること。【解決手段】球供給通路１上に設けられるとともに、通電することにより磁力で発射球を磁力吸引して保持する球保持手段２を備えたパチンコ機における球供給装置３において、発射球Ｐを磁力吸引して保持する前記球保持手段２としての電磁石２０に振動を付与する振動付与手段９を備えているパチンコ機における球供給装置。【選択図】図１
2007236419.tif 000002
【特許請求の範囲】
【請求項１】
球供給通路上に設けられるとともに、通電することにより磁力で発射球を磁力吸引して保持する球保持手段を備えたパチンコ機における球供給装置において、
発射球を磁力吸引して保持する前記球保持手段に振動を付与する振動付与手段を備えている
ことを特徴とするパチンコ機における球供給装置。
【請求項２】
請求項１において、
前記振動付与手段は、前記球保持手段の磁力吸引が解除されているときに振動を付与する
ことを特徴とするパチンコ機における球供給装置。
【請求項３】
請求項１又は請求項２において、
前記振動付与手段は、球保持手段に隣接配置される振動モータである
ことを特徴とするパチンコ機における球供給装置。
【請求項４】
請求項１ないし請求項３のいずれか一項において、
前記球保持手段は、電磁石と、この電磁石に固定され、かつ球供給通路に向けて延びるステーとから構成され、前記振動付与手段を受け止める受け部材には前記ステーを挾持する挾持部が突設されている
ことを特徴とするパチンコ機における球供給装置。
【請求項５】
請求項１ないし請求項４のいずれか一項において、
前記球供給通路上に、縦列されている球を前記球保持手段に移動させる球送出手段を設けるとともに、同球供給通路上に、前記球保持手段によって発射球を磁力吸引する磁力吸引位置から所定間隔離れた位置に次回に磁力吸引される発射球を待機させておくためのストッパ手段を設けた
ことを特徴とするパチンコ機における球供給装置。
【請求項６】
請求項１ないし請求項５のいずれか一項において、
球を発射する発射装置の駆動態様を検出する発射状況検出手段と、
前記発射状況検出手段からの検出結果に基づいて、球保持手段の駆動制御を行う通電制御手段とを備えている
ことを特徴とするパチンコ機における球供給装置。
【発明の詳細な説明】
【技術分野】
【０００１】
本発明は、球供給通路上に設けられるとともに、通電することにより磁力で発射球を磁力吸引して保持する球保持手段を備えたパチンコ機における球供給装置に関するものである。
【背景技術】
【０００２】
従来のパチンコ機における球供給装置は、図１０に示されるようにパチンコ機前面の供給皿に貯留されている球を発射レールの発射位置に１個ずつ供給するパチンコ機における球供給装置Ｓにおいて、発射球に対する次の発射球を磁気吸引装置Ｍによって磁気的に吸引することにより、発射球Ｐと次の発射球Ｎとの接触を回避するものであった。
【特許文献１】特開平８−２６６７１２号公報
【発明の開示】
【発明が解決しようとする課題】
【０００３】
しかしながら、磁気吸引装置の電磁石の磁力は、球が磁力吸引位置から発射位置に不用意に供給されるのを防ぐため、ある程度強く設定する必要があることから次第に保持されている球が着磁されてしまうため、電磁石から球を落下させるとき、電磁石の磁力吸引が解除されていても、速やかに落下しにくくなる可能性があり、発射装置への球供給タイミングが遅れる原因になるという問題があった。
【０００４】
本発明者は、発射球を磁力吸引可能な球保持手段を構成する電磁石を備え、この電磁石の磁力吸引を解除することにより発射装置に球を供給する装置において、発射装置に球を供給するとき、電磁石に振動を付与するという着眼点に着目した。
【０００５】
本発明者は、球供給通路上に設けられるとともに、通電することにより磁力で発射球を磁力吸引して保持する球保持手段を備えたパチンコ機における球供給装置において、発射球を磁力吸引して保持する前記球保持手段に振動を付与するという技術的思想に着眼し、更に研究開発を重ねた結果、発射装置に対する球供給タイミングの遅れを防止するという目的を達成する本発明に到達した。
【課題を解決するための手段】
【０００６】
本発明（請求項１に記載の第１発明）のパチンコ機における球供給装置は、
球供給通路上に設けられるとともに、通電することにより磁力で発射球を磁力吸引して保持する球保持手段を備えたパチンコ機における球供給装置において、
発射球を磁力吸引して保持する前記球保持手段に振動を付与する振動付与手段を備えている
ものである。
【０００７】
本発明（請求項２に記載の第２発明）のパチンコ機における球供給装置は、
前記第１発明において、
前記振動付与手段は、前記球保持手段の磁力吸引が解除されているときに振動を付与する
ものである。
【０００８】
本発明（請求項３に記載の第３発明）のパチンコ機における球供給装置は、
前記第１発明または第２発明において、
前記振動付与手段は、球保持手段に隣接配置される振動モータである
ものである。
【０００９】
本発明（請求項４に記載の第４発明）のパチンコ機における球供給装置は、
前記第１発明ないし第３発明のいずれかにおいて、
前記球保持手段は、電磁石と、この電磁石に固定され、かつ球供給通路に向けて延びるステーとから構成され、前記振動付与手段を受け止める受け部材には前記ステーを挾持する挾持部が突設されている
ものである。
【００１０】
本発明（請求項５に記載の第５発明）のパチンコ機における球供給装置は、
前記第１発明ないし第４発明のいずれかにおいて、
前記球供給通路上に、縦列されている球を前記球保持手段に移動させる球送出手段を設けるとともに、同球供給通路上に、前記球保持手段によって発射球を磁力吸引する磁力吸引位置から所定間隔離れた位置に次回に磁力吸引される発射球を待機させておくためのストッパ手段を設けた
ものである。
【００１１】
本発明（請求項６に記載の第６発明）のパチンコ機における球供給装置は、
前記第１発明ないし第５発明のいずれかにおいて、
球を発射する発射装置の駆動態様を検出する発射状況検出手段と、
前記発射状況検出手段からの検出結果に基づいて、球保持手段の駆動制御を行う通電制御手段とを備えている
ものである。
【発明の効果】
【００１２】
上記構成より成る第１発明のパチンコ機における球供給装置は、球供給通路上に設けられるとともに、通電することにより磁力で発射球を磁力吸引して保持する球保持手段を備えたパチンコ機における球供給装置において、前記振動付与手段が、発射球を磁力吸引して保持する前記球保持手段に振動を付与するので、発射装置に対する球供給タイミングの遅れを防止するという効果を奏する。
【００１３】
上記構成より成る第２発明のパチンコ機における球供給装置は、前記振動付与手段が、前記球保持手段の磁力吸引が解除されているときに振動を付与するので、微弱な振動で球を速やかに球保持手段から離脱させることができ、振動付与手段の小型化を実現することができるという効果を奏する。
【００１４】
上記構成より成る第３発明のパチンコ機における球供給装置は、前記振動付与手段は、球保持手段に隣接配置される振動モータであるので、汎用性のある部品を使用することで製造コストの上昇を抑制することができるという効果を奏する。
【００１５】
上記構成より成る第４発明のパチンコ機における球供給装置は、前記振動付与手段を受け止める部材に前記ステーを挾持する挾持部が突設されているので、簡単な構成であるにも拘わらず、振動を伝達させる損失が少なく済むという効果を奏する。
【００１６】
上記構成より成る第５発明のパチンコ機における球供給装置は、前記球保持手段によって保持されている球と、次回に保持される球との間には間隔があるため、それらの球同士間の磁力による影響を受けることがなく、球を発射位置にスムーズかつ的確に供給することができる。
【００１７】
上記構成より成る第６発明のパチンコ機における球供給装置は、球を発射する発射装置の駆動態様を検出する前記発射状況検出手段からの検出結果に基づいて、前記通電制御手段によって前記球保持手段の駆動制御を行うので、発射球の磁力解除を確実に実現するという効果を奏する。
【発明を実施するための最良の形態】
【００１８】
以下本発明の最良の実施の形態につき実施例に基づき、図面を用いて説明する。
【実施例１】
【００１９】
本第１実施例のパチンコ機における球供給装置は、図１ないし図４に示されるように球供給通路１上に設けられるとともに、通電することにより磁力で発射球を磁力吸引して保持する球保持手段２を備えたパチンコ機における球供給装置３において、発射球Ｐを磁力吸引して保持する前記球保持手段２としての電磁石２０に振動を付与する振動付与手段９を備えているものである。
【００２０】
球を発射する発射装置５は、発射レール５５上の発射位置の発射球Ｐを叩き発射する槌５１と、該槌５１をバネ部材（図示せず）に抗して揺動駆動する発射用ロータリーソレノイド５０とから成る。
【００２１】
発射用ロータリーソレノイド５０により揺動駆動される前記槌５１によって発射される発射球Ｐの前記発射レール５５上の発射位置における存在は、球検出センサー６３によって検出される。
【００２２】
発射状況検出手段６は、発射装置５を構成する槌５１の揺動範囲の両端に配設されその位置を検出する２個の位置確認スイッチ６１、６２と、前記発射レール５５上の発射位置における発射球Ｐの存在を検出する球検出センサー６３と、前記球保持手段２としての電磁石２０によって磁力吸引して保持されている発射球Ｐの把持状態および落下を検出する球検出センサー６４によって構成され、球を発射する前記発射装置５の駆動態様を検出するように構成されている。
【００２３】
前記球供給通路１は、その終端１１に向かう程下方に傾斜して配設されている。該通路１が、縦列されている球を前記球保持手段２に移動させる球送出手段として構成されている。
【００２４】
前記球供給通路１上に、前記球保持手段２による磁力吸引によって保持された発射球Ｐに対して一定間隔離れた位置に次回に磁力吸引される発射球Ｎを待機させる待機手段４として、次回に磁力吸引される発射球を係止して待機させるストッパ手段４０を備えているものである。
【００２５】
該ストッパ手段４０が、前記球供給通路１の終端１１において、球供給通路１の底面から突設されるとともに、先端が球の中心よりも低い高さのアール形状の突起４１によって構成されている。
【００２６】
前記球保持手段２は、前記電磁石２０と、該電磁石２０から前記球供給通路１内に延在する軟鉄製のステー２１とからなり、ステー２１は、前記電磁石２０から水平横方向に突出して且つ先端部が下方に突出した略Ｌ字状に形成され、前記球供給通路１内に突出した吸着部２１１によって発射球Ｐを磁力吸引して保持するように構成されている。
【００２７】
前記ステー２１の吸着部２１１は、図１に示されるように前記球供給通路１の終端１１に形成されたアール形状の突起４１から横方向に一定距離離れている。ステー２１の吸着部２１１に磁力吸引して係止された発射球Ｐと前記突起４１によって係止された次の発射球Ｎとの間には球の半径より短い間隔が形成されるように構成されている。
【００２８】
球送出手段７は、前記球供給通路１に一端が係止されたバイブ用モータによって構成され、前記球供給通路１に振動を付与して球保持手段２に球を滑らかに供給する。
【００２９】
前記球供給通路１における振動手段７の近傍に網目状に形成されたメッシュ部１５が設けられている。
【００３０】
前記振動付与手段９は、前記球供給通路１の最下段部１４の上部に配設され、前記ステー２１に対向して配設された振動モータ９０によって構成され、その外周面はステー２１の先端上部に接している。
【００３１】
通電制御手段８は、前記発射状況検出手段６からの検出結果に基づいて、発射用ロータリーソレノイド５０および前記球保持手段２を構成する電磁石２０の駆動制御を行うとともに、前記球送出手段７および９の駆動制御を行うものである。
【００３２】
図３に示されるように前記発射装置５によって前記発射レール５５上の発射位置にある発射球Ｐが揺動した槌５１によって発射されると、図４に示されるように前記球保持手段２の電磁石２０の駆動が解除されオフになり、ステー２１の吸着部２１１に磁力吸引されていた発射球Ｐが落下して、前記発射レール５５上の発射位置に移動する。
【００３３】
本第１実施例のパチンコ機における球供給装置の作用について、図５のチャート図を用いてさらに詳細に説明する。
【００３４】
すなわち槌５１が反時計方向に揺動して発射球Ｐが発射されると、発射状況検出手段６の位置確認スイッチ６１がオン（図５（Ｂ）図示）になり、球検出センサー６３がオフ（図５（Ｄ）図示）になったことが検知されると、通電制御手段８が、球保持手段２の電磁石２０の駆動信号を一定時間オフ（図５（Ｅ）図示）にするので、球保持手段２の電磁石２０の駆動が解除され、ステー２１の吸着部２１１に磁力吸引されていた発射球Ｐが落下移動して、発射レール５５上の発射位置に到達すると、球検出センサー６３がオン（図５（Ｄ）図示）になる。
【００３５】
通電制御手段８は、球保持手段２の電磁石２０の駆動信号をオフ（図５（Ｅ）図示）にすると同時に振動付与手段９としての振動モータ９０の駆動信号をオンにしてステー２１の吸着部２１１に磁力吸引されていた発射球Ｐに振動を付与して落下させる。又、電磁石２０がオフされている間は、振動モータ９０の駆動信号がオンされたままとなっている。
【００３６】
球保持手段２の電磁石２０の駆動信号をオフ（図５（Ｅ）図示）から一定時間後オンになると同時に球送出手段７を構成するバイブ用モータの駆動信号をオン（図５（Ｆ）図示）にして、球供給通路１に振動を付与して、発射球Ｐに対して一定間隔離れた位置に待機されていた次の発射球Ｎを、オン状態になっている球保持手段２の電磁石２０に供給して、電磁石２０によって磁力吸引され発射球Ｐとして保持される。
【００３７】
振動モータ９０は、電磁石２０がオフ状態から再びオンされた後も所定時間駆動され続ける。つまり、振動付与手段７のバイブ用モータと球送出手段９の振動モータ９０とが共にオンされているため、球供給通路１の終端部に付与される振動が強くなる。よって、振動付与手段７は、ステー２１の吸着部２１１に磁力吸引されていた発射球Ｐの落下を促進することに加え、待機されている次の発射球Ｎを電磁石２０へとスムーズに供給する役割を兼ねている。
【００３８】
ステー２１の吸着部２１１に磁力吸引されていた発射球Ｐに振動付与手段９による振動を付与して落下が検出（図５（Ａ）図示）されると、球送出手段７および振動付与手段９の駆動信号がオフ（図５（Ｆ）、（Ｇ）図示）され、次の発射球Ｎが球保持手段２の電磁石２０によって磁気的に吸着される状態（図５（Ｈ）図示）となる。
【００３９】
次の球を発射するために槌５１が時計方向に揺動して発射状況検出手段６の位置確認スイッチ６１がオン（図５（Ｂ）図示）になったことが検知された後、槌５１が反時計方向に揺動して発射球Ｐが発射されると、発射状況検出手段６の位置確認スイッチ６１がオン（図５（Ｂ）図示）になり、球検出センサー６３がオフ（図５（Ｄ）図示）になったことが検知されると上述の動作が繰り返される。
【００４０】
本第１実施例のパチンコ機における球供給装置は、球供給通路１上に設けられるとともに、通電することにより磁力で発射球を磁力吸引して保持する球保持手段２を備えたパチンコ機における球供給装置において、振動付与手段９が、発射球Ｐを磁力吸引して保持する球保持手段２に振動を付与するので、磁力吸引して保持されている間に発射球Ｐが着磁していたとしても、球保持手段２からの落下を促進して、発射装置に対する球供給タイミングの遅れを防止するという効果を奏する。
【００４１】
また第１実施例のパチンコ機における球供給装置は、振動付与手段９が、発射球Ｐを磁力吸引して保持する球保持手段２を構成する電磁石２０に振動を付与するので、発射装置に対する球供給タイミングの遅れを防止するという効果を奏する。
【００４２】
さらに本第１実施例のパチンコ機における球供給装置は、電磁石２０が、該電磁石２０から球供給通路１内に延在するステー２１を備えているので、球供給通路１内の最適な位置において、発射球を磁力吸引して保持することを可能にするという効果を奏する。
【００４３】
また第１実施例のパチンコ機における球供給装置は、振動付与手段９を構成する振動モータ９０によって、電磁石２０から球供給通路１内に延在して発射球を磁力吸引して保持しているステー２１の一部に直接振動を付与するので、ステー２１から発射球の離れおよび落下を促進するという効果を奏する。
【００４４】
本第１実施例のパチンコ機における球供給装置は、球供給通路１上に設けられるとともに、通電することにより磁力で球を磁力吸引する球保持手段２と、球を発射する発射装置の駆動態様を検出する発射状況検出手段６と、発射状況検出手段６からの検出結果に基づいて、球保持手段２の駆動制御を行う通電制御手段８とを備えたパチンコ機における球供給装置３において、球保持手段２による磁力吸引を解除する時、同球保持手段２に振動を付与する振動付与手段９を設けたので、球保持手段２による磁力吸引が解除されるときに振動が付与されるため、球自身が着磁していてもその磁力の影響を受けることがなく剥離落下させ、球を発射位置にスムーズかつ的確に供給することができるものである。
【００４５】
球保持手段２は、電磁石２０と、この電磁石２０から球供給通路１に向けて延びるステー２１とから構成され、振動付与手段９からの振動を受け止める受け部材としてステーの一部としたので、強い振動を発射球Ｐに与えることができる。
【００４６】
振動付与手段９は、球保持手段２に隣接配置される汎用性のある振動モータ９０によって構成したので、製造コストを低く抑えることができる。
【００４７】
振動付与手段９は、球供給通路１に隣接配置したので、球保持手段２に球を補給するときに、振動が付与されることになるため、球補給能力を向上することが出来る。
【００４８】
球供給通路１上に、縦列されている球を球保持手段２に移動させる球送出手段を設けるとともに、同球供給通路１上に、球保持手段２によって球を磁力吸引する磁力吸引位置から所定間隔離れた位置に次回に磁力吸引される球を待機させておくためのストッパ手段４０を設けたので、球保持手段２によって保持されている発射球Ｐと、次回に保持される球Ｎとの間には間隔があるため、それらの球同士間の磁力による影響を受けることがなく、球を発射位置にスムーズかつ的確に供給することができる。
【００４９】
球送出手段としての球送出手段７における振動開始タイミングは、電磁石２０がＯＮにされるのと同時であるため、電磁石２０による磁力吸引が開始されるのと同時に、次の球が送り出されるため、球保持手段２に球を１つずつ確実に磁力吸引することができる。
【００５０】
また球送出手段７は、少なくとも電磁石２０がオフ（ＯＦＦ）してから次回にオン（ＯＮ）するまでの間振動を付与し続けるため、複数の球を同時かつ適度な速さで移動させることができる。
【実施例２】
【００５１】
本第２実施例のパチンコ機における球供給装置は、図６ないし図８に示されるように上述の第１実施例における前記振動付与手段９の前記球保持手段２としての前記電磁石２０に対する配設位置を変更した点が主な相違点であり、以下相違点を中心に説明する。
【００５２】
本第２実施例において、球保持手段２としての電磁石２０には、球供給通路１内に延在するステー２１が固定され、ステー２１の上方には振動付与手段９としてのバイブ用モータ９０が配置されている。
【００５３】
バイブ用モータ９０は、その下部外周を包囲する半円筒状の受け部材９１によって支持されており、その受け部材９１の下端には、ステー２１における水平部２１２の上部が挾入される二股状をなす挾持部９２が突設されている。振動モータ９０とステー２１とは受け部材９１を介して機械的に連結され、振動モータ９０で発生した振動がステー２１に伝達される。
【００５４】
従って、本第２実施例においては、例えば前記第１実施例に示した振動モータ９０をステー２１に点接触する場合と比較して、受け部材９１の挾持部９２によってステー２１の水平部２１２を挾持するという簡単な構成でもって、振動モータ９０からの振動ロスを少なくして、振動モータ９０の振動エネルギーを効率よく有効にステー２１に伝達することができる。よって、大幅なコストアップを招くことなく、ステー２１から発射球Ｐの落下をより一層促進することができるという効果を奏する。
【００５５】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５６】
上述の実施例においては、一例として前記振動付与手段９として汎用性の観点より前記バイブ用モータ９０を用いる例について説明したが、本発明としてはそれらに限定されるものでは無く、前記バイブ用モータ９０の代わりにソレノイドのプランジャを往復的に突出させることにより、電磁石に振動を付与する実施形態を採用することが出来る。
【００５７】
また上述の実施例においては、前記振動付与手段９としての前記バイブ用モータ９０の駆動タイミングを、前記球保持手段２としての前記電磁石２０の駆動信号をオフにすると同時にオンにしたが、前記電磁石２０の駆動信号のオフの時刻より一定時間後でも良く、また前記電磁石２０による発射球Ｐの把持力に対して前記バイブ用モータ９０による発射球Ｐの剥離力が弱い場合は、前記電磁石２０の駆動信号のオフの時刻より一定時間前の前記位置確認スイッチ６１がオン（図５（Ｂ）図示）になったことが検知されたら直ちに前記バイブ用モータ９０の駆動信号をオンにする実施形態を採用することが出来る。
【００５８】
上述の第２実施例においては、一例として前記バイブ用モータ９０の下部外周部を包囲する円弧状の部材９１から下方に突出する前記挟持部９２が、前記ステー２１の幅広の水平部２１２を挾持する例について説明したが、本発明としてはそれらに限定されるものでは無く、図９に示されるように円弧状の部材９１から下方に突出する突出部９３と前記ステー２１の幅広の水平部２１２とをロー付けその他の連結方法により一体的に連結する実施形態を採用することが出来る。
【図面の簡単な説明】
【００５９】
【図１】本発明の第１実施例のパチンコ機における球供給装置を示す正面図である。
【図２】本第１実施例のパチンコ機における球供給装置を示す側面図である。
【図３】本第１実施例のパチンコ機における球供給装置における発射球の発射状態を説明するための説明図である。
【図４】本第１実施例のパチンコ機における球供給装置の発射球発射後の次の発射球を発射位置に供給する状態を説明するための説明図である。
【図５】本第１実施例のパチンコ機における球供給装置の動作を説明するためのチャート図である。
【図６】本発明の第２実施例のパチンコ機における球供給装置を示す正面図である。
【図７】本第２実施例のパチンコ機における球供給装置を示す側面図である。
【図８】本第２実施例のパチンコ機における球供給装置におけるバイブ用モータとステーと連結態様を説明するための拡大正面図および拡大側面図である。
【図９】本発明のその他の球供給装置におけるバイブ用モータとステーと連結態様を説明するための拡大正面図である。
【図１０】従来のパチンコ機における球供給装置における球の状態を説明するための説明図である。
【符号の説明】
【００６０】
１  球供給通路
２  球保持手段
３  球供給装置
Ｐ  発射球
２０  電磁石
２１  ステー
４０  ストッパ手段
６  発射状況検出手段
８  通電制御手段
９  振動付与手段
９２  挾持部
【図１】
2007236419.tif 000003
【図２】
2007236419.tif 000004
【図３】
2007236419.tif 000005
【図４】
2007236419.tif 000006
【図５】
2007236419.tif 000007
【図６】
2007236419.tif 000008
【図７】
2007236419.tif 000009
【図８】
2007236419.tif 000010
【図９】
2007236419.tif 000011
【図１０】
2007236419.tif 000012